(57)【要約】【課題】表示面に設けられた文字、図形等の表示に対して視覚的演出効果を付与し、意匠性に優れた表示体を提供する。【解決手段】表示面２Ａを有する紙基材２と、表示面２Ａに設けられた導電性インクからなる１以上の表示層３と、表示層３上に設けられた１以上の発光素子４と、発光素子４に電力を供給する１以上の電源とを備え、電源は表示面２Ａ以外に設けられ、表示層３と電源とが電気的に接続されている、表示体１を選択する。【選択図】図１
2018205632.tif 000002
【特許請求の範囲】
【請求項１】
表面の少なくとも一部に表示面を有する紙基材と、
前記表示面に設けられた、導電性インクからなる１以上の表示層と、
前記表示層上に設けられた、１以上の発光素子と、
前記発光素子に電力を供給する１以上の電源と、を備え、
前記電源は前記表示面以外に設けられ、前記表示層と前記電源とが電気的に接続されている、表示体。
【請求項２】
前記紙基材が、前記表示面以外の表面に、導電性インクからなる１以上の接続層を有し、
前記接続層と前記表示層とが、前記表示面と当該表示面以外の表面との境界において連結しており、
前記表示層と前記電源とが、前記接続層を介して電気的に接続されている、請求項１に記載の表示体。
【請求項３】
前記紙基材の表面のうち、前記表示面以外の少なくとも一部を覆う部材をさらに備える、請求項１又は２に記載の表示体。
【請求項４】
前記紙基材が、前記部材に覆われた表面に導電性インクからなる１以上の接続層を有し、
前記接続層と前記表示層とが、前記表示面と前記部材に覆われた表面との境界において連結しており、
前記表示層と前記電源とが、前記接続層を介して電気的に接続されている、請求項３に記載の表示体。
【請求項５】
前記紙基材が、導電性材料によって充填された１以上の貫通孔を有し、
前記表示層と前記電源とが、前記導電性材料を介して電気的に接続されている、請求項１乃至４のいずれか一項に記載の表示体。
【請求項６】
前記紙基材が、前記表示面と接する一の線分の一端と他端との間を非直線状に結ぶとともに、当該紙基材を貫通する１以上の切断線を有し、
前記切断線に囲まれた部分が、前記線分に沿って前記表示面が設けられた表面が外側となるように折り曲げられ、
前記切断線に囲まれた部分には、導電性インクからなる接続層が設けられるとともに、
前記接続層と前記表示層とが、前記線分において連結しており、
前記表示層と前記電源とが、前記接続層を介して電気的に接続されている、請求項１乃至５のいずれか一項に記載の表示体。
【請求項７】
前記紙基材が、前記表示面と接する１以上の折り曲げ線を有し、
前記紙基材が、前記折り曲げ線に沿って前記表示面が設けられた表面が外側となるように折り曲げられ、
前記紙基材の折り曲げられた部分には、導電性インクからなる接続層が設けられるとともに、
前記接続層と前記表示層とが、前記折り曲げ線において連結しており、
前記表示層と前記電源とが、前記接続層を介して電気的に接続されている、請求項１乃至６のいずれか一項に記載の表示体。
【請求項８】
シート状である、請求項１乃至７のいずれか一項に記載の表示体。
【請求項９】
三次元立体である、請求項１乃至７のいずれか一項に記載の表示体。
【請求項１０】
前記紙基材からなる筒状の胴部を有し、
前記胴部の外周面の少なくとも一部が、前記表示面である、請求項９に記載の表示体。
【発明の詳細な説明】
【技術分野】
【０００１】
本発明は、表示体に関する。
【背景技術】
【０００２】
従来から、バラエティパック容器等のパーティーグッズ類、クリスマスカード等のカード類、及びポスターや看板等の広告類など、装飾された表示体が幅広い用途に用いられている。
【０００３】
表示体の装飾方法として、視覚的な演出効果が高い電飾が注目されている。特許文献１には、文字や図形等の表示の背後からＬＥＤの高輝度な照明光をあてることで上記表示を鮮明に表出させる装飾装置が開示されている。
【先行技術文献】
【特許文献】
【０００４】
【特許文献１】特開２００２−１０２０５０号公報
【発明の概要】
【発明が解決しようとする課題】
【０００５】
しかしながら、特許文献１に開示された従来技術は、文字や図形等の表示の全体が一様に発光するだけであり、消費者が見慣れてしまったため、もはや消費者の関心を引くことができなかった。
【０００６】
本発明は上記事情に鑑みてなされたものであって、表示面に設けられた文字、図形等の表示に対して視覚的演出効果を付与し、意匠性に優れた表示体を提供することを課題とする。
【課題を解決するための手段】
【０００７】
本発明は以下の構成を有する。
［１］  表面の少なくとも一部に表示面を有する紙基材と、
前記表示面に設けられた、導電性インクからなる１以上の表示層と、
前記表示層上に設けられた、１以上の発光素子と、
前記発光素子に電力を供給する１以上の電源と、を備え、
前記電源は前記表示面以外に設けられ、前記表示層と前記電源とが電気的に接続されている、表示体。
［２］  前記紙基材が、前記表示面以外の表面に、導電性インクからなる１以上の接続層を有し、
前記接続層と前記表示層とが、前記表示面と当該表示面以外の表面との境界において連結しており、
前記表示層と前記電源とが、前記接続層を介して電気的に接続されている、［１］に記載の表示体。
［３］  前記紙基材の表面のうち、前記表示面以外の少なくとも一部を覆う部材をさらに備える、［１］又は［２］に記載の表示体。
［４］  前記紙基材が、前記部材に覆われた表面に導電性インクからなる１以上の接続層を有し、
前記接続層と前記表示層とが、前記表示面と前記部材に覆われた表面との境界において連結しており、
前記表示層と前記電源とが、前記接続層を介して電気的に接続されている、［３］に記載の表示体。
［５］  前記紙基材が、導電性材料によって充填された１以上の貫通孔を有し、
前記表示層と前記電源とが、前記導電性材料を介して電気的に接続されている、［１］乃至［４］のいずれか一項に記載の表示体。
［６］  前記紙基材が、前記表示面と接する一の線分の一端と他端との間を非直線状に結ぶとともに、当該紙基材を貫通する１以上の切断線を有し、
前記切断線に囲まれた部分が、前記線分に沿って前記表示面が設けられた表面が外側となるように折り曲げられ、
前記切断線に囲まれた部分には、導電性インクからなる接続層が設けられるとともに、
前記接続層と前記表示層とが、前記線分において連結しており、
前記表示層と前記電源とが、前記接続層を介して電気的に接続されている、［１］乃至［５］のいずれか一項に記載の表示体。
［７］  前記紙基材が、前記表示面と接する１以上の折り曲げ線を有し、
前記紙基材が、前記折り曲げ線に沿って前記表示面が設けられた表面が外側となるように折り曲げられ、
前記紙基材の折り曲げられた部分には、導電性インクからなる接続層が設けられるとともに、
前記接続層と前記表示層とが、前記折り曲げ線において連結しており、
前記表示層と前記電源とが、前記接続層を介して電気的に接続されている、［１］乃至［６］のいずれか一項に記載の表示体。
［８］  シート状である、［１］乃至［７］のいずれか一項に記載の表示体。
［９］  三次元立体である、［１］乃至［７］のいずれか一項に記載の表示体。
［１０］  前記紙基材からなる筒状の胴部を有し、
前記胴部の外周面の少なくとも一部が、前記表示面である、［９］に記載の表示体。
【発明の効果】
【０００８】
本発明の表示体は、表示面に設けられた文字、図形等の表示に対して視覚的演出効果が付与されており、意匠性に優れる。
【図面の簡単な説明】
【０００９】
【図１】本発明を適用した第１実施形態の表示体（天板が取り付けられた状態）の外観を示す側面図である。
【図２】図１中に示すＰ領域の拡大図である。
【図３】第１実施形態の表示体（天板が取り外された状態）の構成を示す斜視図である。
【図４】第１実施形態の表示体の円筒状の胴部を模式的に示す斜視図である。
【図５】図４中に示すＡ−Ａ’線に沿った断面図である。
【図６】第１実施形態の表示体の変形例を説明するための図であり、（Ａ）は平面図、（Ｂ）は（Ａ）中に示すＢ−Ｂ’線に沿った断面図である。
【図７】第１実施形態の表示体の変形例を説明するための図であり、（Ａ）は平面図、（Ｂ）は（Ａ）中に示すＣ−Ｃ’線に沿った断面図である。
【図８】第１実施形態の表示体の変形例を説明するための図であり、（Ａ）は平面図、（Ｂ）は（Ａ）中に示すＣ−Ｃ’線に沿った断面図である。
【図９】本発明を適用した第２実施形態の表示体の外観を示す斜視図である。
【図１０】第２実施形態の表示体の、表示面と反対側を示す斜視図である。
【図１１】本発明を適用した第３実施形態の表示体の外観を示す平面図である。
【図１２】図１１中に示すＤ−Ｄ’線に沿った断面図である。
【図１３】本発明を適用した第４実施形態の表示体の外観を示す平面図である。
【図１４】図１３中に示すＥ−Ｅ’線に沿った断面図である。
【発明を実施するための形態】
【００１０】
以下、本発明を適用した一実施形態である表示体の構成について、図面を用いて詳細に説明する。なお、以下の説明で用いる図面は、特徴をわかりやすくするために、便宜上特徴となる部分を拡大して示している場合があり、各構成要素の寸法比率などが実際と同じであるとは限らない。
【００１１】
＜第１実施形態＞
先ず、本発明を適用した、第１の実施形態である表示体の構成の一例について、図１〜図５を参照しながら説明する。図１〜図５に示すように、本実施形態の表示体１は、表面の少なくとも一部に表示面２Ａを有する紙基材２と、表示面２Ａに設けられた導電性インクからなる１以上の表示層３と、表示層３上に設けられた１以上の発光素子４と、発光素子４に電力を供給する電源５とを備える。
本実施形態の表示体１は、紙基材２からなる円柱状の物品であり、包装容器、ギフト、インテリア、店頭ディスプレイ等に用いるものである。
【００１２】
表示体１は、円筒状の胴部１Ａと、胴部１Ａの下端開口部を閉塞するように設けられた底板１Ｂと、胴部１Ａの上端開口部に着脱自在に設けられた天板（蓋）１Ｃとを有する。また、円筒状の胴部１Ａの内側には、円筒状の空間（以下、「内部空間」と記す）Ｕが形成されている。
本実施形態の表示体１は、円筒状の胴部１Ａの外周面が表示面２Ａである。表示面とは、表示体１を視る者が視認することができる部分であって、絵、幾何学図形、文字等の任意の装飾模様（表示）が設けることができる部分をいう。
【００１３】
紙基材２の種類は、表示体１の用途に応じて適宜選択すればよく、例えば、板紙、普通紙、段ボールライナ、合成紙等が挙げられる。また、紙基材２からなる円筒状の胴部１Ａとしては、ペーパーシリンダー（紙管）を用いることが好ましい。ペーパーシリンダーは、軽くて高強度であるとともに、加工性に優れる。ペーパーシリンダーの内径、厚さ、及び長さは、表示体１の用途に応じて適宜選択することができる。
紙基材２の坪量は、表示体１の用途に応じて適宜調整すればよい。
【００１４】
本実施形態の表示体１では、胴部１Ａ、底板１Ｂ及び天板１Ｃ全ての構成が紙基材２で構成されている場合を一例として説明するが、これに限定されるものではない。少なくとも表示面２Ａが設けられた円筒状の胴部１Ａが紙基材２から構成されていればよく、底板１Ｂ及び天板１Ｃは紙基材以外の材質（例えば、木材、樹脂、金属等）から構成されていてもよい。
【００１５】
円筒状の胴部１Ａには、図４及び図５に示すように、紙基材２を貫通する二つの貫通孔２Ｃが形成されている。
貫通孔２Ｃの形状、及び大きさは、紙基材２の種類や厚さに応じて適宜選択することができる。貫通孔２Ｃの形成は、抜き型パンチ等の穴開け加工により、行うことができる。
貫通孔２Ｃには、それぞれ後述する導電性材料３Ｃが充填されている。
また、図３及び図５に示すように、円筒状の胴部１Ａの内周面２Ｂには、それぞれの貫通孔２Ｃ上に、内周面２Ｂ側を平面視した際に貫通孔２Ｃと少なくとも一部が重なる位置となるように、電極パッド３Ｄが設けられている。
【００１６】
表示層３は、図１、図２、及び図４に示すように、表示面２Ａに設けられている。表示層３は、一筆書き状に形成された１つの配線表示３Ａと、非配線表示３Ｂとを有する。
【００１７】
配線表示３Ａは、表示面２Ａにおいて貫通孔２Ｃの間に亘って設けられている。配線表示３Ａは、図４に示すように、表示面２Ａを平面視した際に、両端が一対の貫通孔２Ｃと重なる（接触する）位置となるように設けられている。
【００１８】
配線表示３Ａは、銀ナノ粒子のような導電性材料を含有したインク（以下、「導電性インク」と記す）を塗布した部分が乾燥することで設けられた、導電性インクからなる表示層である。配線表示３Ａは、電気配線（回路）としての機能を有する。
【００１９】
導電性インク（導電性塗料）の種類は、胴部１Ａを構成する紙基材２の種類に応じて適宜選択すればよく、例えば、銀ナノ粒子を含む銀ナノインク（銀ペースト）、金ペースト、銅ペースト、及びカーボンペースト等が挙げられる。これらのうち、焼成することなく導電性を発揮するタイプのものが好ましい。
【００２０】
非配線表示３Ｂは、配線表示３Ａと同じ導電性インクを用いて形成されているが、これに限定されない。非配線表示３Ｂは、配線表示３Ａとは異なる種類の導電性インクを用いて形成されたものであってもよいし、絶縁インク（レジスト）や表面加飾用機能性インキを用いて形成されたものであってもよい。非配線表示３Ｂが、配線表示３Ａと同一又は異なる種類の導電性インクからなる層である場合、配線表示３Ａと非配線表示３Ｂとが分離（非接触）していることが好ましい。非配線表示３Ｂが導電性インクからなる層でない場合、配線表示３Ａと非配線表示３Ｂとが一部重なりあっていてもよい。
【００２１】
表示層３の形態としては、例えば、絵、幾何学図形、文字等の任意の装飾模様（表示）が挙げられ、表示体１の用途に応じて適宜選択すればよい。表示層３の色彩は、単色であってもよいし、２色以上の組合せであってもよい。
表示層３は、配線表示３Ａが絵、幾何学図形、文字等の、表示の一部を構成しており、非配線表示３Ｂが上記表示の残部を構成しているが、これに限定されるものではない。配線表示３Ａ及び非配線表示３Ｂは、それぞれが上述した表示の全体を構成していてもよい。
【００２２】
表示層３の、表示面２Ａへの形成方法としては、円筒状の胴部１Ａを構成する紙基材２や導電性インクの種類等に応じて適宜選択すればよく、例えば、スクリーン印刷、インクジェット印刷等が挙げられる。
【００２３】
貫通孔２Ｃを充填する導電性材料３Ｃ、及び電極パッド３Ｄとしては、配線表示３Ａと同じ種類の導電性インクを用いることができる。これにより、配線表示３Ａは、貫通孔２Ｃを充填する導電性材料３Ｃを介して、内周面２Ｂに設けられた一対の電極パッド３Ｄと電気的に接続される。
また、導電性材料３Ｃとして、配線表示３Ａと同一種類あるいは同一色の導電性インクを用いることが好ましい。これにより、表示面２Ａにおいて貫通孔２Ｃの存在を目立たなくすることができる。
【００２４】
発光素子４は、図１〜図５に示すように、表示層３のうち、電気配線（回路）としての機能を有する配線表示３Ａ上に設けられている。配線表示３Ａに通電することで、発光素子を発光させることができる。本実施形態の表示体１は、表示面２Ａにおいて１以上の発光素子４が発光するため、視覚的な演出効果を付与することができる。
【００２５】
発光素子４の色、大きさ、及び種類は、表示体１の用途に応じて適宜選択すればよく、全て同一のものを用いてもよいし、２種類以上を組み合わせて用いてもよい。
なお、本発明で使用する発光素子としては、表面実装型ＬＥＤが最も好適に使用される。他の種類の発光素子であっても適切な電子部品と組み合わせることで使用が可能である。
【００２６】
発光素子４と配線表示３Ａとの接続は、表示面２Ａに導電性インクからなる配線表示３Ａを形成した直後、配線表示３Ａ上に発光素子４を直接配置して導電性インクを乾燥させる等によって直接接続してもよいし、図示略の導電性接着剤を介して接続してもよい。また、図４及び図５に示すように、封止樹脂７を用いて、配線表示３Ａ及び発光素子４を被覆してもよい。封止樹脂７を用いることにより、発光素子４の脱落を防止するとともに、配線表示３Ａと発光素子との接続部分を保護することができる。
【００２７】
電源５は、図３に示すように、容器を構成する底板上に設置されている。電源５の設置場所は、表示面２Ａ以外に設けられていればよく、底板上に限定されない。
本実施形態では、表示面２Ａ以外（以下、「非表示面」と示す場合がある）として、円筒状の胴部の内周面２Ｂ、胴部の内部空間Ｕ、底板の上面、天板（蓋）の内側等が挙げられる。
【００２８】
また、電源５は、図３及び図５に示すように、電線５Ａを介して円筒状の胴部の内周面２Ｂに形成された電極パッド３Ｄと電気的に接続されている。また、電源５と表示層３（配線表示３Ａ）とは、導電性材料３Ｃが充填された貫通孔２Ｃを介して電気的に接続されている。これにより、電源５は、配線表示３Ａ上に設けられた複数の発光素子４に電力を供給することができる。
【００２９】
電源５としては、４本の乾電池を収納した電池ボックスを用いている。電源５の構成は、これに限定されるものではなく、表示体１に設けられた発光素子４の消費電力等に応じて適宜選択すればよい。電源５として、１以上の乾電池を収納した電池ボックスを用いてもよいし、１つ以上ボタン電池を用いてもよい。
【００３０】
以上説明したように、本実施形態の表示体１は、紙基材２からなる円筒状の胴部１Ａを有する円柱状の物品であり、円筒状の胴部１Ａの外周面を表示面２Ａとし、この表示面２Ａに意匠性を有する文字、図形等からなる表示層３を設けている。また、表示層３の一部であって、導電性インクからなる配線表示３Ａ上に１以上の発光素子４を設けている。さらに、紙基材２を貫通する２つの貫通孔２Ｃを設け、貫通孔２Ｃ内を導電性材料３Ｃで充填している。そして、配線表示３Ａを一対の貫通孔２Ｃ上にわたって設けるとともに、配線表示３Ａと電源５とを貫通孔２Ｃを介して電気的に接続するため、配線表示３Ａ上に設けた発光素子４を発光させることができる。
このように、表示体１を視る者に対して、表示面２Ａの表示層３とともに発光素子４の光を直接届けることができるため、表示層３と発光素子４との相乗効果によって、視覚的な演出効果を充分に発揮することができる。
【００３１】
また、本実施形態の表示体１は、電源５を備えているため、持ち運びが可能であり、任意の場所に設置することができる。
【００３２】
また、本実施形態の表示体１は、円柱状の物品の底板１Ｂ上に電源５を設置するとともに、円筒状の胴部１Ａの内周面２Ｂにおいて配線表示３Ａと電源５とを貫通孔２Ｃを介して電気的に接続している。このように、電源５の設置する場所、及び配線表示３Ａと電源５とを接続する場所が非表示面であるため、表示面２Ａの意匠性が損なわれない。
【００３３】
＜第１の変形例＞
上述した第１実施形態の表示体１では、円筒状の胴部１Ａを有する円柱状の物品を一例として説明したが、これに限定されるものではない。表示体１の形態としては、筒状の胴部を有する柱状であればよく、三角柱状や四角柱状であってもよい。
また、第１実施形態の表示体１では、円筒状の胴部１Ａの外周面の全体を表示面２Ａとしたが、外周面の一部のみを表示面とする構成であってもよいし、底板１Ｂや天板１Ｃの表面を含む構成であってもよい。
また、第１実施形態の表示体１では、表示面２Ａが曲面であったが、多角柱状の容器である場合には平面であってもよい。
【００３４】
また、第１実施形態の表示体１では、図４及び図５に示すように、紙基材２に一対の貫通孔２Ｃが設けられるとともに、表示面２Ａに１つの配線表示３Ａを有する構成を一例として説明したが、これに限定されるものではない。例えば、図６（Ａ）及び図６（Ｂ）に示すように、紙基材２に二対の貫通孔２Ｃを設けるとともに、表示面２Ａに２つの配線表示３Ａを有する構成としてもよい。
また、貫通孔２Ｃは１つ以上であればよく、必ずしも対（偶数）でなくてもよい。なお、貫通孔２Ｃが１つである場合、配線表示３Ａの一方の端部と電源５とを貫通孔２Ｃで電気的に接続するとともに、配線表示３Ａの他方の端部と電源５とを後述する実施形態で説明する貫通孔以外の他の接続方法によって電気的に接続する。
【００３５】
また、第１実施形態の表示体１では、図４及び図５に示すように、紙基材２に設けた貫通孔２Ｃを導電性材料３Ｃで充填するとともに、内周面２Ｂ側に電極パッド３Ｄを設ける構成を一例として説明したが、これに限定されるものではない。
例えば、図７（Ａ）及び図７（Ｂ）に示すように、表示面２Ａの配線表示３Ａ上の一部に、表示面２Ａと接する線分８の一端Ｑと他端Ｒとの間を非直線状に結ぶとともに紙基材２を貫通する切断線９を設ける。なお、切断線９は、線分８と切断線９とに囲まれる部分Ｓに導電性インクからなる配線表示３Ａが含まれるように設ける。
次いで、図８（Ａ）及び図８（Ｂ）に示すように、線分８と切断線９とに囲まれた部分Ｓを、線分８に沿って表示面２Ａが設けられた表面が外側となるように折り曲げる。これにより、内周面２Ｂ側において切断線９に囲まれた上記部分Ｓには導電性インクからなる接続層３Ｅが設けられる。一方、紙基材２には、上記部分Ｓの形状に対応する貫通孔が設けられる。このように形成された貫通孔では、切断線９において配線表示３Ａが切断されている。これに対して、上記貫通孔では、線分８において配線表示３Ａ（表示層３）と接続層３Ｅとが連結されている。したがって、図８（Ａ）及び図８（Ｂ）に示す構成を採用することにより、貫通孔２Ｃを導電性材料３Ｃで充填するとともに内周面２Ｂ側に電極パッド３Ｄを設けることなく、円筒状の胴部の内部空間Ｕ内で、配線表示３Ａと電源５とを接続層３Ｅを介して電気的に接続することができる。なお、部分Ｓに設けられた接続層３Ｅは、内周面２Ｂ側において電極パッド３Ｄと同様の機能を奏することができる。
【００３６】
また、第１実施形態の表示体１では、図３及び図５に示すように、内周面２Ｂに設けられた電極パッド３Ｄと電源５とを電気的に接続する際に、電線５Ａを用いる構成を一例として説明したが、これに限定されるものではない。例えば、紙基材２からなる円筒状の胴部の内周面２Ｂに、電極パッド３Ｄと電源５との間を通電させるための他の回路が印刷されている構成としてもよい。また、上記他の回路には、配線表示３Ａと同一の導電性インクを用いてもよいし、異なる導電性インクを用いてもよい。さらに、電極パッド３Ｄを省略する構成であってもよい。
【００３７】
また、第１実施形態の表示体１では、表示層３として１つの配線表示３Ａと非配線表示３Ｂとを有する構成を一例として説明したが、これに限定されるものではない。非配線表示３Ｂを省略する構成であってもよい。
【００３８】
＜第２の実施形態＞
次に、本発明を適用した第２の実施形態である表示体の構成について、図９及び図１０を参照して詳細に説明する。第２の実施形態は、前述した第１の実施形態とは異なる方法で、電源と表示層とを電気的に接続するものである。
図９及び図１０に示すように、本実施形態の表示体２１は、表示体２１の形態、表示面、及び電源５と表示層３（配線表示３Ａ）との接続方法が、前述の第１の実施形態の表示体１の構成と異なるものであり、その他の構成については第１の実施形態と同一である。したがって、本実施形態の表示体２１については、第１の実施形態の表示体１と同一の構成部分については同じ符号を付すると共に説明を省略する。
【００３９】
図９及び図１０に示すように、本実施形態の表示体２１は、表示面２２Ａを有する紙基材２２と、表示面２２Ａに設けられた導電性インクからなる１以上の表示層３と、表示層３上に設けられた１以上の発光素子４と、発光素子４に電力を供給する電源５とを備える。
本実施形態の表示体２１は、紙基材２２からなる直方体であり、屋外で公衆に表示される看板、立看板、広告塔、広告板等に用いるものである。
【００４０】
表示体２１は、六面を有する直方体である。表示体２１は、直方体の内側に空間（内部空間）を有していてもよいし、有さなくてもよい。
本実施形態の表示体２１は、直方体の六面のうち、一つの面が表示面２２Ａであり、表示面２２Ａに隣接する側面２２Ｂを含むその他の面、及び表示面２２Ａ側から見えない空間が表示面以外（非表示面）である。
【００４１】
紙基材２２としては、紙箱を用いることが好ましい。紙箱は、軽くて高強度であるとともに、加工性に優れる。紙箱の長さ、幅、及び奥行は、表示体２１の用途に応じて適宜選択することができる。
【００４２】
紙基材２２からなる直方体には、表示面２２Ａと隣接する４つの面のうち、２つの側面（非表示面）２２Ｂに、導電性インクからなる接続層２３Ｅがそれぞれ１つずつ設けられている。
接続層２３Ｅには、配線表示３Ａと同一の導電性インクを用いることができるが、これに限定されない。接続層２３Ｅとして、配線表示３Ａとは異なる導電性インクを用いる構成であってもよい。
【００４３】
接続層２３Ｅと、表示面２２Ａに設けられた配線表示３Ａ（表示層３）とは、表示面２２Ａと表示面２２Ａ以外の側面２２Ｂとの境界において連結するように設けられている。接続層２３Ｅと配線表示３Ａとは、同じ導電性インクを用いて連続して形成される構成であってもよい。
【００４４】
電源５は、表示面２２Ａ以外に設けられている。電源５は、電線５Ａを介して側面２２Ｂに設けられた接続層２３Ｅと電気的に接続されている。すなわち、表示面２２Ａに設けられた配線表示３Ａ（表示層３）と電源５とが、接続層２３Ｅを介して電気的に接続されている。これにより、電源５は、配線表示３Ａ上に設けられた複数の発光素子４に電力を供給することができる。
【００４５】
以上説明したように、本実施形態の表示体２１は、上述した第１実施形態の表示体１と同様に、表示体２１を視る者に対して、表示面２２Ａの表示層３とともに発光素子４の光を直接届けることができるため、表示層３と発光素子４との相乗効果によって、視覚的な演出効果を充分に発揮することができる。
【００４６】
本実施形態の表示体２１は、直方体の表示面２２Ａと隣接する側面２２Ｂに、導電性インクからなる接続層２３Ｅが設けられており、配線表示３Ａと接続層２３Ｅとが表示面２２Ａと表示面２２Ａ以外の側面２２Ｂとの境界において連結されている。また、配線表示３Ａと電源５とが、接続層２３Ｅを介して電気的に接続している。このように、配線表示３Ａと電源５とが非表示面において接続されているため、表示面２２Ａの意匠性が損なわれない。
【００４７】
＜第２の変形例＞
上述した第２実施形態の表示体２１では、表示体が直方体の構成である場合を一例として説明したが、これに限定されるものではない。表示体としては、表面の少なくとも一部が表示面となる三次元立体であればよく、立方体、三角錐、角錐、角柱、八面体（多面体）、円柱、円錐、球体、トーラス体などであってもよい。
【００４８】
また、第２実施形態の表示体２１では、直方体の六面のうち、いずれか一面を表示面２２Ａとしたが、二面以上を表示面としてもよい。
また、第２実施形態の表示体２１では、接続層２３Ｅを表示面２２Ａと隣接する側面２２Ｂに設ける構成を一例としたが、上面や底面に設ける構成であってもよい。
また、接続層２３Ｅは、表示面２２Ａと隣接する４つの面のうち、少なくとも１以上の側面（非表示面）に設けられていればよい。
また、接続層２３Ｅは１つ以上設けられていればよい。なお、接続層２３Ｅが一つである場合、配線表示３Ａの一端と電源５の一端とを接続層２３を介して電気的に接続するとともに、配線表示３Ａの他端と電源５の他端とを本実施形態以外で説明する他の接続方法を用いて電気的に接続する構成であってもよい。
また、第２実施形態の表示体２１では、電源５を直方体の外側に露出する構成を一例としたが、紙基材２２からなる直方体の内側の空間に収納する構成であってもよい。
【００４９】
＜第３の実施形態＞
次に、本発明を適用した第３の実施形態である表示体の構成について、図１１及び図１２を参照して詳細に説明する。第３の実施形態は、前述した第１及び第２の実施形態とは異なる方法で、電源と表示層とを電気的に接続するものである。
図１１及び図１２に示すように、本実施形態の表示体３１は、表示体３１の形態、表示面、及び電源５と表示層３（配線表示３Ａ）との接続方法が、前述の第１及び第２の実施形態の表示体１，２１の構成と異なるものであり、その他の構成については第１及び第２の実施形態と同一である。したがって、本実施形態の表示体３１については、第１及び第２の実施形態の表示体１，２１と同一の構成部分については同じ符号を付すると共に説明を省略する。
【００５０】
図１１及び図１２に示すように、本実施形態の表示体３１は、表示面３２Ａを有する紙基材３２と、表示面３２Ａに設けられた導電性インクからなる１以上の表示層３と、表示層３上に設けられた１以上の発光素子４と、発光素子４に電力を供給する電源５と、紙基材３２の表面のうち、表示面３２Ａ以外の少なくとも一部を覆う額縁（部材）３８とを備える。
本実施形態の表示体３１は、シート状であり、公衆に表示されるポスターや、招待状、メッセージカード等に用いるものである。
【００５１】
額縁３８は、フレーム３８Ａと裏板３８Ｂとを有する。図１２に示すように、シート状の表示体３１を裏板３８Ｂの上に載置することで、紙基材３２の表面のうち、表示面３２Ａ以外の少なくとも一部がフレーム３８Ａによって覆われる。
表示体３１は、紙基材３２の表面のうち、フレーム３８Ａから露出する部分が表示面３２Ａとなり、フレーム３８Ａに覆われる部分が非表示面３２Ｂとなる。
【００５２】
紙基材３２としては、例えば、板紙、普通紙、段ボールライナ、合成紙等が挙げられ、表示体３１の用途に応じて適宜選択することができる。
紙基材３２及び額縁３８の大きさは、表示体３１の用途に応じて適宜選択することができる。
【００５３】
紙基材３２の非表示面３２Ｂには、導電性インクからなる接続層３３Ｅが設けられている。
接続層３３Ｅと、表示面３２Ａに設けられた配線表示３Ａ（表示層３）とは、表示面３２Ａと非表示面３２Ｂとの境界において連結されている。接続層３３Ｅは、配線表示３Ａと同じ導電性インクを用いて、連続して形成することができる。
【００５４】
電源５は、フレーム３８Ａによって覆われた非表示面３２Ｂに設けられている。電源５は、非表示面３２Ｂに設けられた接続層３３Ｅと電気的に接続されている。すなわち、表示面３２Ａに設けられた配線表示３Ａ（表示層３）と電源５とが、接続層３３Ｅを介して電気的に接続されている。これにより、電源５は、配線表示３Ａ上に設けられた複数の発光素子４に電力を供給することができる。
【００５５】
以上説明したように、本実施形態の表示体３１は、上述した第１及び第２実施形態の表示体１，２１と同様に、表示体３１を視る者に対して、表示面３２Ａの表示層３とともに発光素子４の光を直接届けることができるため、表示層３と発光素子４との相乗効果によって、視覚的な演出効果を充分に発揮することができる。
【００５６】
また、本実施形態の表示体３１は、フレーム３８Ａに覆われる非表示面３２Ｂに接続層３３Ｅが設けられ、表示面３２Ａとフレーム３８Ａに覆われる非表示面３２Ｂとの境界において配線表示３Ａと接続層３３Ｅとが連結されるとともに、配線表示３Ａと電源５とが接続層３３Ｅを介して電気的に接続されている。このように、配線表示３Ａと電源５とが非表示面３２Ｂにおいて接続されるため、表示面３２Ａの意匠性が損なわれない。
【００５７】
＜第３の変形例＞
上述した第３実施形態の表示体３１では、シート状の紙基材の表面の一部覆う部材として額縁を用いる構成を一例として説明したが、これに限定されるものではない。上記部材としては、表面の少なくとも一部を覆うものであればよく、上部や下部のみを支持する部材などであってもよい。
【００５８】
また、第３実施形態の表示体３１では、シート状の紙基材３２の表面の一部を覆う構成を一例として説明したが、表示体３１の形態はシート状以外であってもよい。
【００５９】
また、接続層３３Ｅは１つ以上設けられていればよい。なお、接続層３３Ｅが一つである場合、配線表示３Ａの一端と電源５の一端とを接続層３３を介して電気的に接続するとともに、配線表示３Ａの他端と電源５の他端とを本実施形態以外で説明する他の接続方法を用いて電気的に接続する構成であってもよい。
【００６０】
＜第４の実施形態＞
次に、本発明を適用した第４の実施形態である表示体の構成について、図１３及び図１４を参照して詳細に説明する。第４の実施形態は、前述した第３の実施形態とは異なる方法で、電源と表示層とを電気的に接続するものである。
図１３及び図１４に示すように、本実施形態の表示体４１は、紙基材の表示面、及び電源５と表示層３（配線表示３Ａ）との接続方法が、前述の第３の実施形態の表示体３１の構成と異なるものであり、その他の構成については第３の実施形態と同一である。したがって、本実施形態の表示体４１については、第３の実施形態の表示体３１と同一の構成部分については同じ符号を付すると共に説明を省略する。
【００６１】
図１３及び図１４に示すように、本実施形態の表示体４１は、表示面４２Ａを有する紙基材４２と、表示面４２Ａに設けられた導電性インクからなる１以上の表示層３と、表示層３上に設けられた１以上の発光素子４と、発光素子４に電力を供給する電源５とを備える。
本実施形態の表示体３１は、シート状であり、招待状、メッセージカード等に用いるものである。
【００６２】
紙基材４２は、表示面４２Ａと接する折り曲げ線４８を有する。紙基材４２は、表示面４２Ａが設けられた表面が外側となるように、折り曲げ線４８に沿って折り曲げられている。本実施形態の表示体４１は、紙基材４２の表面のうち、折り曲げ線４８に沿って折り曲げられた部分が非表示面４２Ｂとなる。
【００６３】
紙基材４２の種類は、表示体４１の用途に応じて適宜選択すればよく、例えば、板紙、普通紙、段ボールライナ、合成紙等が挙げられる。
紙基材４２の大きさ、及び厚さは、表示体４１の用途に応じて適宜選択することができる。
【００６４】
紙基材４２の非表示面４２Ｂには、導電性インクからなる接続層４３Ｅが設けられている。
接続層４３Ｅと、表示面４２Ａに設けられた配線表示３Ａ（表示層３）とは、折り曲げ線４８において連結されている。接続層４３Ｅは、配線表示３Ａと同じ導電性インクを用いて、連続して形成することができる。
【００６５】
電源５は、非表示面４２Ｂに設けられた接続層４３Ｅと電線５Ａを介して電気的に接続されている。また、表示面４２Ａに設けられた配線表示３Ａ（表示層３）と電源５とが、接続層４３Ｅを介して電気的に接続されている。これにより、電源５は、配線表示３Ａ上に設けられた複数の発光素子４に電力を供給することができる。
【００６６】
以上説明したように、本実施形態の表示体４１は、上述した第１〜第３実施形態の表示体１，２１，３１と同様に、表示体４１を視る者に対して、表示面４２Ａの表示層３とともに発光素子４の光を直接届けることができるため、表示層３と発光素子４との相乗効果によって、視覚的な演出効果を充分に発揮することができる。
【００６７】
また、本実施形態の表示体４１は、紙基材４２の折り曲げられた部分（非表示面４２Ｂ）に接続層４３Ｅが設けられ、折り曲げ線４８において配線表示３Ａと接続層４３Ｅとが連結されるとともに、配線表示３Ａと電源５とが接続層４３Ｅを介して電気的に接続されている。このように、配線表示３Ａと電源５とが非表示面４２Ｂにおいて接続されるため、表示面４２Ａの意匠性が損なわれない。
【００６８】
＜第４の変形例＞
上述した第４実施形態の表示体４１では、紙基材４２の片側のみを折り曲げる構成を一例として説明したが、これに限定されるものではない。紙基材４２の折り曲げ部分は、表面に１以上設けられていればよく、２以上設けられていてもよい。
また、紙基材４２の折り曲げ部分は、紙基材の側部側に設ける構成を一例として説明したが、これに限定されるものではない。表示面４２Ａの上部側や下部側に折り曲げ部分を設ける構成であってもよい。
【００６９】
また、接続層４３Ｅは１つ以上設けられていればよい。なお、接続層４３Ｅが一つである場合、配線表示３Ａの一端と電源５の一端とを接続層４３を介して電気的に接続するとともに、配線表示３Ａの他端と電源５の他端とを本実施形態以外で説明する他の接続方法を用いて電気的に接続する構成であってもよい。
また、紙基材４２の１つの折り曲げ部分に２以上の接続層４３Ｅを設ける構成であってもよい。
【００７０】
また、第４実施形態の表示体４１では、電源５と接続層４３Ｅとを電線５Ａを介して接続する構成を一例として説明したが、紙基材４２の折り曲げ部分に設けられた接続層４３Ｅに電源５を直接接続する構成であってもよい。
【産業上の利用可能性】
【００７１】
本発明の表示体は、包装容器、ギフト、インテリア、店頭ディスプレイ、看板、立看板、広告塔、広告板、ポスターや、招待状、メッセージカード等に利用可能性を有する。
【符号の説明】
【００７２】
１，２１，３１，４１…表示体
２，２２，３２，４２…紙基材
２Ａ，２２Ａ，３２Ａ，４２Ａ…表示面
２Ｃ…貫通孔
３…表示層
３Ａ…配線表示
３Ｂ…非配線表示
３Ｃ…導電性材料
３Ｅ，２３Ｅ，３３Ｅ，４３Ｅ…接続層
４…発光素子
５…電源
【図１】
2018205632.tif 000003
【図２】
2018205632.tif 000004
【図３】
2018205632.tif 000005
【図４】
2018205632.tif 000006
【図５】
2018205632.tif 000007
【図６】
2018205632.tif 000008
【図７】
2018205632.tif 000009
【図８】
2018205632.tif 000010
【図９】
2018205632.tif 000011
【図１０】
2018205632.tif 000012
【図１１】
2018205632.tif 000013
【図１２】
2018205632.tif 000014
【図１３】
2018205632.tif 000015
【図１４】
2018205632.tif 000016